(57)【要約】      （修正有）【課題】  携帯電話の販売の促進を計ると共に、携帯電話の購入を販売店まで出向いて行く煩わしさを無くし、手軽に何時でも購入が出来るようにする。【解決手段】  販売などに必要な携帯電話・備品・各書類（契約書・カタログ等）を搭載し、１台若しくは数台の移動営業車を販売店ごとに所属させ、販売店或は移動営業車にて電話による受付を行い、購入者の希望内容を確認すると共に新規購入や機種変更に必要な書類を準備するよう連絡し、訪問先・日時を決定する。購入者の希望内容に必要な機種や書類を準備し、移動営業車にて訪問し、商談後に購入に必要な書類への記載等の購入契約をし、移動営業車よりメール等にて販売店にその内容を連絡する。販売店は開通センターにＦＡＸにて送付し、新規の携帯電話の開通の連絡を開通センターより受けてからその結果を販売店より移動営業車に連絡し、開通した旨を購入者に伝えて携帯電話現品を購入者に引渡して終るものである。【選択図】  なし【特許請求の範囲】
【請求項１】
販売などに必要な商品（各メーカーの携帯電話）・備品（パソコン等）・各書類（契約書・カタログ等）を搭載し、更に余裕があれば接客用のテーブル・椅子等を車内を改造して設置した１台若しくは数台の移動営業車を販売店ごとに所属させ、販売店或は移動営業車にて電話による受付を行い、購入者の希望内容を確認すると共に新規購入や機種変更に必要な書類を準備するよう連絡し、訪問先・日時を決定する受付業務と、購入者の希望内容に必要な機種や書類を準備し、移動営業車にて決定した日時に訪問先へ訪問し、商談後に購入に必要な書類への記載と本人確認証明書を確認して購入契約をし、移動営業車よりメール等にて販売店にその内容を連絡し、連絡を受けた販売店は受けた内容を確認して開通センターにＦＡＸにて送付し、販売した新規の携帯電話の開通の連絡を開通センターより受けてからその結果を販売店より移動営業車に連絡し、開通した旨を購入者に伝えて携帯電話現品を購入者に引渡して終る訪問販売業務とからなるようにしたことを特徴とする携帯電話販売方法。
【請求項２】
販売店が複数の場合は、その内の一販売店を各販売店の売上や在庫その他の書類などを管理して統括する統括販売店とするようにした請求項１記載の携帯電話販売方法。
【発明の詳細な説明】
【技術分野】
【０００１】  本発明は携帯電話の問合せや紹介のサービスを行いながら販売を移動で行ない、販売した携帯電話を配達にて購入者の自宅まで届けることが出来るようにした携帯電話販売システムに関するものである。
【背景技術】
【０００２】  携帯電話の普及によって販売のため各地に多くの販売店が開設され、来客者に対して携帯電話の問合せや紹介のサービスを行いないながら携帯電話の販売をしていた。
【発明の開示】
【発明が解決しようとする課題】
【０００３】  このように携帯電話の販売には各地に販売店を開設して来客者に販売しているが、開設している販売店の多くは市内或はその周辺にあり、市内から遠くなるに従って販売店も疎らとなっている。
そのため販売店も色々と宣伝をしたり或は電話での問合せや紹介をしながら販売促進を計っているが、結果的には来客者がなければ販売出来ず販売効率を引き上げることは出来ない。
そして携帯電話を購入するには販売店まで出向いて行かなくてはならず、市内近辺に住んでいればまだ良いが、市内から遠くに離れて住んでいる場合にはその販売店まで行くのに時間が掛かり煩わしくなって行くのをやめてしまいなかなか購入することが出来ない等販売或は購入上非常に不都合を感じていた。
【課題を解決するための手段】
【０００４】  本発明はこのような不都合を解消するもので、
販売などに必要な商品（各メーカーの携帯電話）・備品（パソコン等）・各書類（契約書・カタログ等）を搭載し、更に余裕があれば接客用のテーブル・椅子等を車内を改造して設置した１台若しくは数台の移動営業車を販売店ごとに所属させ、販売店或は移動営業車にて電話による受付を行い、購入者の希望内容を確認すると共に新規購入や機種変更に必要な書類を準備するよう連絡し、訪問先・日時を決定する受付業務と、【０００５】  購入者の希望内容に必要な機種や書類を準備し、移動営業車にて決定した日時に訪問先へ訪問し、商談後に購入に必要な書類への記載と本人確認証明書を確認して購入契約をし、移動営業車よりメール等にて販売店にその内容を連絡し、連絡を受けた販売店は受けた内容を確認して開通センターにＦＡＸにて送付し、販売した新規の携帯電話の開通の連絡を開通センターより受けてからその結果を販売店より移動営業車に連絡し、開通した旨を購入者に伝えて携帯電話現品を購入者に引渡して終る訪問販売業務と、【０００６】  移動営業車は販売業務を終って帰社し、契約書等の原本をまとめて閉店後に必要な各所に原本を郵送して全ての業務が終了する整理業務とからなるものである。
又、販売店が複数の場合は、その内の一販売店を各販売店の売上や在庫その他の書類などを管理して統括する統括販売店とする。
尚、引渡しの際、旧携帯電話からのデーターの移行を希望される場合は、データーコンバートソフトを使用してパソコンにてメモリーデーターなどの移行を無料で行なう。
【発明の効果】
【０００７】  このように販売店に於いては、電話の受付を通してサービス業務や販売業務が来客を待つのではなく積極的に顧客を訪問するので、勤務時間の人でも休憩時を利用したり、時間的に忙しく来店が出来にくい人等販売の対象範囲を広げることが出来るため、販売を促進して実績の向上につなげて行くことが出来る。
一方顧客に於いては、勤務時間中の昼の休憩時間は勿論自分の都合の良い時と場所の指定が出来るため、わざわざ販売店まで行かなくてよく無駄な時間を費やすこともなく必要な携帯電話を新規に或は新機種との交換を行なうことが出来る。
【発明を実施するための最良の形態】
【０００８】  販売などに必要な商品（各メーカーの携帯電話）・備品（パソコン等）・各書類（契約書・カタログ等）を搭載し、更に余裕があれば接客用のテーブル・椅子等を車内を改造して設置した１台若しくは数台の移動営業車を販売店ごとに所属させ、販売店或は移動営業車にて電話による受付を行い、購入者の希望内容を確認すると共に新規購入や機種変更に必要な書類を準備するよう連絡し、訪問先・日時を決定する受付業務と、【０００９】  購入者の希望内容に必要な機種や書類を準備し、移動営業車にて決定した日時に訪問先へ訪問し、商談後に購入に必要な書類への記載と本人確認証明書を確認して購入契約をし、移動営業車よりメール等にて販売店にその内容を連絡し、連絡を受けた販売店は受けた内容を確認して開通センターにＦＡＸにて送付し、販売した新規の携帯電話の開通の連絡を開通センターより受けてからその結果を販売店より移動営業車に連絡し、開通した旨を購入者に伝えて携帯電話現品を購入者に引渡して終る訪問販売業務と、【００１０】  移動営業車は販売業務を終って帰社し、契約書等の原本をまとめて閉店後に必要な各所に原本を郵送して全ての業務が終了する整理業務とからなるものである。
又、販売店が複数の場合は、その内の一販売店を各販売店の売上や在庫その他の書類などを管理して統括する統括販売店とする。
尚、引渡しの際、旧携帯電話からのデーターの移行を希望される場合は、データーコンバートソフトを使用してパソコンにてメモリーデーターなどの移行を無料で行なう。
【実施例】
【００１１】  以下本発明の一実施例を一販売店で一台の移動営業車の場合について説明する。
受付業務
販売店に１台の移動営業車を所属させ、販売などに必要な商品（この場合は各メーカーの携帯電話）・備品（パソコン等）・各書類（契約書・カタログ等）を搭載し、余裕があれば接客用のテーブル・椅子等を車内を改造して設置する。
そして販売店或は移動営業車にて電話による受付を行なう。
その受付内容が
▲１▼、単なる問い合わせであればその場での応答で終る。
▲２▼、新規の販売者でなく以前に販売した機種の操作或は落としたりしての損傷など電話の応答では処理できない場合については、サービス業務として内容を確認し、訪問先・日時を決定する。
▲３▼、新規或は機種の交換の場合は、訪問販売業務として内容（希望機種等）を確認し必要書類（契約に必要な証明書等）などの連絡後、訪問先・日時を決定する。【００１２】  訪問業務
▲１▼、サービス業務として訪問する場合には、内容の確認による必要な書類（カタログ・使用説明書等）・同じ携帯電話・その他必要と思われる物を持参して訪問し、操作の場合には使用説明書或は同じ携帯電話で説明をし、損傷の場合には修理に出すよう販売店に連絡し、損傷した携帯電話を引き取って戻り、修理のために発送する。
そして修理が終って返送されてくると、再度訪問して修理出来た携帯電話を届けて終る。  ▲２▼、販売業務として訪問する場合には、必要書類（契約に必要な証明書等）など準備しているのを確認後、希望機種や類似機種を準備し契約に必要な書類を整えて所定の日時に指定場所へ訪問する。
そして必要書類への記載・本人確認の証明書の確認をして契約に必要なすべての業務を行なうと共に、移動営業車よりメール等て販売店にその内容を送付する。
メールを受取った販売店は書類確認後開通センターにＦＡＸにて送付し、販売した新規の携帯電話の開通の連絡を受けてからその結果を販売店より移動営業車に連絡し、開通した旨を購入者に伝えて携帯電話現品を購入者に引渡して業務が終る。【００１３】  整理業務
販売業務を終って帰社し、契約書等の原本をまとめて閉店後に必要な各所に原本を郵送して全ての業務が終了する。
尚、引渡しの際、旧携帯電話からのデーターの移行を希望される場合は、データーコンバートソフトを使用してパソコンにてメモリーデーターなどの移行を無料で行なう。